(57)【要約】【課題】  カートリッジ装填の操作性の向上を図りながら、セットサイズにおいて小型化を実現することが可能な記録再生装置を提供する。【解決手段】  装置本体２と、装置本体２に対して回動支点１ａＬを介して回動自在に支持された蓋体１と、蓋体１の回動先端側においてカートリッジ挿脱方向に摺動可能な状態で配置された補助蓋部１０と、装置本体２に回動自在に支持されて挿入用開口部１Ａを閉じる方向に常時付勢された扉４と、カートリッジ７の挿入用開口部１Ａからの挿入に伴って蓋体１が開蓋方向に回動する動作に連動させて補助蓋部１０を蓋体１の回動支点１ａＬ側に後退させるスライダー１１とを備えて、カートリッジ７を挿入用開口部１Ａから挿入させることで蓋体１が開蓋方向に回動すると、この回動動作に連動して、補助蓋部１０が蓋体１の回動支点１ａＬ側に後退させる。【選択図】    図１
2006252589.tif 000002
【特許請求の範囲】
【請求項１】
記録媒体を内蔵したカートリッジをホルダーに保持、装填する記録再生装置であって、前記カートリッジの記録媒体に対して記録再生を行う記録再生手段を設けた装置本体と、前記装置本体に対して回動支点を介して回動自在に支持されるとともにその回動先端側がカートリッジが挿入される挿入用開口部側に配置され、常時閉蓋方向に付勢された蓋体と、前記蓋体の回動先端側箇所においてカートリッジ挿脱方向に摺動可能な状態で配置された補助蓋部と、前記装置本体に回動自在に支持されて挿入用開口部を閉じる方向に常時付勢された扉と、カートリッジの挿入動作に伴う蓋体の開蓋方向への回動動作に連動させて前記補助蓋部を蓋体の回動支点側に後退させる連動手段と、前記蓋体内部に配置されて前記カートリッジを保持するホルダーと、前記蓋体を常時閉蓋方向に付勢する付勢力に抗して開蓋方向に回動させる開蓋操作手段とを備えたことを特徴とする記録再生装置。
【請求項２】
一端部が装置本体に回動自在に支持され、他端部が蓋体に対して摺動自在に支持されて、蓋体の開閉に伴って移動するリンクを有し、蓋体が開蓋方向に回動する動作に伴う前記リンクの他端部の蓋体の回動支点側への摺動が、連動手段を介して補助蓋部に伝達されて補助蓋部が蓋体の回動支点側に後退するように構成されていることを特徴とする請求項１記載の記録再生装置。
【請求項３】
扉に、挿入用開口部から挿入されたカートリッジに当接して、カートリッジを蓋体の開蓋方向に案内するガイド面が設けられていることを特徴とする請求項１または２に記載の記録再生装置。
【請求項４】
蓋体内部に設けられて開蓋時にカートリッジを押し出す押し出し手段を設けたことを特徴とする請求項１〜３の何れか１項に記載の記録再生装置。
【発明の詳細な説明】
【技術分野】
【０００１】
本発明は、記録媒体に対して記録を実行し、または前記記録媒体からの再生を実行する記録再生装置に関し、特にこの記録再生装置における、前記記録媒体の入ったカートリッジをホルダーに保持・装填する構造に関するものである。
【背景技術】
【０００２】
従来、記録媒体の入ったカートリッジをホルダーに保持、装填する記録再生装置において、カートリッジをホルダーに着脱するカートリッジ着脱機構にはカンガルータイプとスロットインタイプとがある。カンガルータイプは蓋体を開けてからカートリッジを挿入するものであり、スロットインタイプは直接カートリッジを挿入溝または挿入孔に押し込むものである。
【０００３】
スロットインタイプは、蓋体を開ける動作を行わなくても簡単にカートリッジの交換ができるために操作性は非常に良いが、小型化においては多くの課題があった。このスロットインタイプとしては、例えば特許文献１に記載されたものが知られている。
【０００４】
この従来の記録再生装置のスロットインタイプの蓋体開閉機構を図７（ａ）〜（ｄ）に示す。図７（ａ）はカートリッジを挿入する直前の閉蓋状態を示す図、図７（ｂ）はカートリッジを挿入する途中の状態を示す図、図７（ｃ）はカートリッジが蓋体端面まで挿入された状態を示す図、図７（ｄ）は図７（ｃ）の部分拡大図である。
【０００５】
この従来の記録再生装置は、装置本体１２に記録媒体を内蔵したカートリッジ１７を保持するホルダー（図示省略）を設けているとともに、ホルダーにより保持、装填したカートリッジ１７の記録媒体に対して記録再生を行う記録再生手段（図示省略）を設けている。
【０００６】
蓋体１１は装置本体１２に回動支点を介して回動自在に支持されて常時閉蓋方向に付勢されており、その回動先端側が、内部に配置したホルダーへカートリッジ１７を挿入するための挿入用開口部をなしている。扉１４は装置本体１２に回動自在に支持されており、蓋体１１の閉蓋状態でカートリッジ１７の挿入用開口部を閉じる方向に付勢されている。また、装置本体１２には蓋体１１を常時閉蓋方向に付勢する付勢力に抗して開蓋方向に回動させる開蓋操作手段と、蓋体１１の内部に設けられて開蓋時にカートリッジ１７を押し出す押し出し手段とを設けている。
【０００７】
この構成により、カートリッジ１７の挿入時には、図７（ａ）に示すように、蓋体１１の閉蓋状態で扉１４に対してカートリッジ１７を矢印ホ方向に押し当てることにより扉１４が内側に倒れてカートリッジ１７を挿入するためのガイドとなり、図７（ｂ）に示すように、蓋体１１をその閉蓋方向への付勢力に抗して開蓋しながらホルダーにカートリッジ１７を挿入することで、図７（ｃ）、（ｄ）に示すように、カートリッジ１７の装填を完了する。このカートリッジ１７の装填が完了することにより扉１４および蓋体１１が閉じる。
【０００８】
装填されたカートリッジ１７の取り出し時には、開蓋操作手段の操作により蓋体１１をその閉蓋方向への付勢力に抗して開蓋させ、カートリッジ１７を押し出し手段によってホルダーから排出する。
【特許文献１】特開２００３−１２３３６７号公報
【特許文献２】特開２００１−１２６３６５号公報
【発明の開示】
【発明が解決しようとする課題】
【０００９】
しかし、上述したような構成では、図７（ｃ）、（ｄ）に示すように、カートリッジ１７の基端側が蓋体１１の回動先端側の端面まで挿入された状態となると、それ以後は指先でカートリッジ１７を蓋体１１の内部、すなわち、蓋体１１の回動先端側の端面よりも奥側まで押し込む必要があり、カートリッジ１７の全体を扉１４の内側に確実に位置させ難く、閉蓋操作の確実性に問題がある。
【００１０】
一方、特許文献２には、カートリッジが一定位置にまで挿入された時点でカートリッジを引っ張りばねの付勢力で引き込む機構を有する記録再生装置が開示されている。
この特許文献２に開示するところのカートリッジ１７を強制的に引き込む機能を上述した構成に併用することによって、カートリッジ１７を扉１４の内側に確実に位置させる構成を具現できる。
【００１１】
しかし、このような構成では特許文献２のカートリッジ着脱機構を構成する機構部だけ余分に記録再生装置が大きくなってしまう。これはポータブル商品の基本であるセットサイズにおいて、従来のカンガルータイプの蓋体開閉機構に比べて不利である。さらに、特許文献２のカートリッジ着脱機構を構成する機構は複雑であり、コストもかかるものであった。
【００１２】
本発明はこのような問題を解決するもので、カートリッジ装填の操作性の向上を図りながら、セットサイズにおいて小型化を実現することが可能な記録再生装置を提供することを目的とする。
【課題を解決するための手段】
【００１３】
上記課題を解決するために、本発明の記録再生装置は、カートリッジの記録媒体に対して記録再生を行う記録再生手段を設けた装置本体と、前記装置本体に対して回動支点を介して回動自在に支持されるとともにその回動先端側がカートリッジが挿入される挿入用開口部側に配置され、常時閉蓋方向に付勢された蓋体と、前記蓋体の回動先端側箇所においてカートリッジ挿脱方向に摺動可能な状態で配置された補助蓋部と、前記装置本体に回動自在に支持されて挿入用開口部を閉じる方向に常時付勢された扉と、カートリッジの挿入動作に伴う蓋体の開蓋方向への回動動作に連動させて前記補助蓋部を蓋体の回動支点側に後退させる連動手段と、前記蓋体内部に配置されて前記カートリッジを保持するホルダーと、前記蓋体を常時閉蓋方向に付勢する付勢力に抗して開蓋方向に回動させる開蓋操作手段とを備えたことを特徴とするものであり、カートリッジを挿入用開口部から挿入させることで蓋体が開蓋方向に回動すると、この回動動作に連動して、補助蓋部が蓋体の回動支点側に後退されるので、指でカートリッジを奥まで押し込もうとした際に指が補助蓋部に当たり難くなって、カートリッジ装填のための障害が無くなり、カートリッジの後端面が扉よりも奥側（内側）となる位置までカートリッジを容易に押し込むことができ、この状態で蓋体および扉が閉じてカートリッジの装填を完了できる。
【発明の効果】
【００１４】
以上のように本発明によれば、カートリッジ挿入時に蓋体の回動に連動して補助蓋部が蓋体に対して後退するので、カートリッジを押し込む際に、カートリッジの後端面が、扉よりも奥側（内側）となる位置まで容易に押し込むことができ、複雑なカートリッジ引き込み機構を用いないでも、カートリッジを容易に装填することができて、カートリッジ装填の操作性が良好となるとともに、従来のカンガルータイプの蓋部開閉機構を用いた機器と同等の小型のセットサイズを実現することができる。
【発明を実施するための最良の形態】
【００１５】
本発明の記録再生装置は、カートリッジの記録媒体に対して記録再生を行う記録再生手段を設けた装置本体と、前記装置本体に対して回動支点を介して回動自在に支持されるとともにその回動先端側がカートリッジが挿入される挿入用開口部側に配置され、常時閉蓋方向に付勢された蓋体と、前記蓋体の回動先端側箇所においてカートリッジ挿脱方向に摺動可能な状態で配置された補助蓋部と、前記装置本体に回動自在に支持されて挿入用開口部を閉じる方向に常時付勢された扉と、カートリッジの挿入動作に伴う蓋体の開蓋方向への回動動作に連動させて前記補助蓋部を蓋体の回動支点側に後退させる連動手段と、前記蓋体内部に配置されて前記カートリッジを保持するホルダーと、前記蓋体を常時閉蓋方向に付勢する付勢力に抗して開蓋方向に回動させる開蓋操作手段とを備えたものである。
【００１６】
また、一端部が装置本体に回動自在に支持され、他端部が蓋体に対して摺動自在に支持されて、蓋体の開閉に伴って移動するリンクを有し、蓋体が開蓋方向に回動する動作に伴う前記リンクの他端部の蓋体の回動支点側への摺動が、連動手段を介して補助蓋部に伝達されて補助蓋部が蓋体の回動支点側に後退するように構成されている。
【００１７】
また、扉には、挿入用開口部から挿入されたカートリッジに当接して、カートリッジを蓋体の開蓋方向に案内するガイド面が設けられている。また、蓋体内部に設けられて開蓋時にカートリッジを押し出す押し出し手段を設けると好適である。
【００１８】
上記した構成により、カートリッジの挿入時には、蓋体の閉蓋状態でカートリッジを扉に押し当てることで扉を内側に倒してカートリッジを挿入するガイドとなし、蓋体を開蓋しながら挿入し、挿入時の蓋体の回動によるリンクの摺動により補助蓋部が蓋体に対して後退する。したがって、カートリッジを押し込む際に、カートリッジの後端面が、扉よりも奥側（内側）となる位置まで容易に押し込むことができる。
【００１９】
この時点で扉はカートリッジ装填に対する障害では無くなり、蓋体は閉蓋方向へ、補助蓋部は蓋体の閉動作に連動して閉じるとともに、扉が閉動方向の付勢力により閉じることでカートリッジの装填が完了する。
【００２０】
装填されたカートリッジの取り出し時には、開蓋操作手段の操作により、蓋体をその閉蓋方向への付勢力に抗して開蓋させ、カートリッジを押し出し手段によって前記蓋体およびホルダーより排出する。
【００２１】
以下、本発明の実施の形態の詳細を、図１〜図６を用いて説明する。図１〜図３は本発明の実施の形態に係る記録再生装置としてのポータブル型ＭＤ装置の斜視図、図４と図６はその一部分を破断した断面で示す側面図、図５はその一部分を破断した断面で示す平面図を示す。更に、図１（ａ）はカートリッジを挿入する直前の閉蓋状態を示す図、図１（ｂ）はカートリッジ挿入の途中の状態を示す図、図１（ｃ）はカートリッジ挿入時の閉蓋状態直前を示す図、図２（ａ）は閉蓋状態を示す図、図２（ｂ）はカートリッジ取り出し時の状態を示す図、図３（ａ）は閉蓋状態を示す図、図３（ｂ）はカートリッジ挿入の閉蓋状態直前を示す図、図４は同記録再生装置の一部分を破断した断面で示す側面図であり、図４（ａ）は閉蓋状態でのカートリッジ挿入の直前の状態を示す図、図４（ｂ）はカートリッジ挿入の途中の状態を示す図、図５は同記録再生装置の一部分を破断した断面で示す平面図であり、図５（ａ）は閉蓋状態でのカートリッジ挿入の直前の状態を示す図、図５（ｂ）はカートリッジ挿入の途中の状態を示す図、図６はカートリッジ取り出し時の一部分を破断した断面で示す図である。
【００２２】
図１〜図６において、蓋体１は装置本体２に支点１ａＬを介して回動自在に設けられており、その回動先端部裏面に蓋部スライダー保持部材１ｂを設けている。また、蓋体１の内側には、カートリッジ７を保持するためのホルダー８が取り付けられているとともに、蓋体１の開き角度を規制するリンク９の一端部が連結されている。
【００２３】
蓋体１の回動先端側箇所には、カートリッジ７を挿入する挿入用開口部１Ａに臨む補助蓋部１０が、前記蓋部スライダー保持部材１ｂを介して、前後に摺動自在に取り付けられている。この補助蓋部１０には連動手段としてのスライダー１１が締結され、このスライダー１１は、リンク９の他端部９ａＬに形成された突起部（図示せず）が当接可能に配置されており、リンク９の他端部９ａＬの動きをスライダー１１が受けるように構成されている。また、蓋体１の裏面側には、補助蓋部１０を手前側（Ｆ１２方向：図５（ａ）参照）に付勢する補助蓋部付勢手段としての成形バネ１２（図５参照）が取り付けられており、成形バネ１２は蓋体用係合部１２ａＬ，１２ａＲにて蓋体１に係合し、補助蓋用係合部１２ｂＬ，１２ｂＲにて補助蓋部１０に係合している。
【００２４】
リンク９はそれぞれが装置本体２の左右両側に存在しており、両側のリンク９は同様の構成をなすので、ここでは左側（Ｌ側）に配置したリンク９を説明する。
図４（ａ），（ｂ）に示すように、リンク９はその一端を、装置本体２に回動支点２ａＬで回動自在に軸支されており、リンク９の他端部９ａＬは、蓋体１に対してその前後方向（カートリッジ７の挿脱方向）に摺動自在となるように、ホルダー８の長孔８ａで支持されている。
【００２５】
蓋体１は、装置本体２のシャーシ２ｂにその一端が固定された蓋体付勢手段としての第１の本体バネ２ｃＬにより閉蓋方向（矢印Ｆ１方向）に常時付勢されている。
装置本体２には、挿入用開口部１Ａを開閉する扉４を設けており、扉４は、支点軸部４ａにより回動自在で、扉部バネ４ｂにより、挿入用開口部１Ａを閉じる方向（矢印Ｆ４方向）に付勢され、扉４の正面側箇所には、扉４が押された際（図４（ｂ）参照）に傾斜した姿勢となるガイド面４ｆが形成されている。
【００２６】
蓋体１は内側に、挿入用開口部１Ａより挿入されたカートリッジ７を保持するホルダー８を備えており、カートリッジ７はホルダー８に保持された状態で記録再生可能な位置に装填される。図１に示すように、蓋体１の内部には押し出し手段としてのカートリッジ押し出しバネ５を設けており、カートリッジ押し出しバネ５は蓋体１の開放時にカートリッジ７を押し出すように構成されている。
【００２７】
開蓋操作手段６は蓋体１を開蓋方向に回動させるものであり、蓋体１を常時閉蓋方向に付勢する第１の本体バネ２ｃＬの付勢力に抗して蓋体１を開蓋させる。装置本体２は記録再生手段としてディスク駆動ユニット、ピックアップ装置、他の必要な構成および回路を備えており、ここではディスク駆動ユニットの駆動用ターンテーブル３（図１参照）を示して他の構成の図示を省略する。
【００２８】
以下、上記した構成における作用を説明する。図２（ａ）および図４（ａ）に示すように、蓋体１の閉蓋状態では蓋体１と装置本体２とは密着した状態にあり、このとき蓋体１の回動先端側に設けられている挿入用開口部１Ａは扉４により閉じられた状態となっている。
【００２９】
装置本体２にカートリッジ７を装填する際には、図１（ａ）および図４（ｂ）に示すように、蓋体１が閉蓋された状態でカートリッジ７を扉４の正面側に位置させて、その前端７ａを扉４に押し当てる。この操作により、図４（ｂ）に示すように、矢印Ｆ４方向の付勢力に抗して扉４が内側に倒れ、扉４の正面側に形成されたガイド面４ｆが、カートリッジ７の挿入時におけるガイドとなる。
【００３０】
この倒れた扉４のガイド面４ｆをガイドとして更にカートリッジ７を矢印イ方向に押し込むと、図４（ｂ）に示すように、カートリッジ７が矢印ハ方向に移動して、蓋体１を押し上げるので、矢印Ｆ１方向の付勢力に抗して蓋体１が上方へ開き角度「ｄ０」だけ回動する。
【００３１】
この開蓋動作で、さらにカートリッジ７がイ方向に押し込まれて蓋体１が持ち上げられると、リンク９は装置本体２の回動支点２ａＬを中心に斜め上方に回動し、蓋体１に固定されたリンク９の他端部９ａＬがホルダー８の長孔８ａに沿って寸法「ｄ１０」分摺動する。この摺動寸法「ｄ１０」によりリンク９の他端部９ａＬに設けられた突起部でスライダー１１が矢印Ｆ９方向（図３および図４（ｂ）参照）に押され、図５に示すように、このスライダー１１に締結された補助蓋部１０が、成形バネ１２の付勢力の付勢力「Ｆ１２」に抗して、移動量「Ｄ１０」だけ後退する。
【００３２】
したがって、さらにカートリッジ７をイ方向に押し込む際には、補助蓋部１０が前記移動量「Ｄ１０」だけ後退しているので、カートリッジ７の後端面（操作を行うものから見て手前側となる部分）７ａを、「Ｄ４」分だけ倒れた扉４よりもさらに奥側まで容易に押し込むことができる。
【００３３】
この状態で指を放すと、蓋体１が第１の本体バネ２ｃＬの矢印Ｆ１方向への付勢力を受けて閉蓋方向に回動して閉蓋し、これにより、カートリッジ７が装置本体２に装填される。
【００３４】
同時に、カートリッジ７により倒されていた扉４は、扉部バネ４ｂの矢印Ｆ４方向への付勢力（図４（ｂ）参照）で復元して直立し、これにより挿入用開口部１Ａが閉じられる。また、蓋体１が閉蓋方向に回動することに伴って、リンク９も回動してその他端部９ａＬが手前側に摺動し、これにより、補助蓋部１０は、補助蓋部付勢手段としての成形バネ１２のＦ１２’方向（図５（ｂ）参照）への付勢力によって、スライダー１１とともに初期状態に戻る。
【００３５】
この結果、蓋体１は閉蓋状態となって、図２（ａ）に示すように、装置本体２と密着した状態となり、カートリッジ７の装填が完了した状態（記録再生状態を含む）となる。このカートリッジ７の非装填／装填状態の閉蓋状態は、共に図２（ａ）および図４（ａ）に示すような状態であり、外観上は何ら変わりない。
【００３６】
このように本発明によれば、カートリッジ挿入時に蓋体１の回動に連動して補助蓋部１０が蓋体１に対して後退するので、カートリッジ７を押し込む際に、カートリッジ７の後端面７ａを、扉４よりも奥側（内側）となる位置まで容易に押し込むことができ、複雑なカートリッジ引き込み機構を用いずとも、カートリッジ７を容易に装填することができて、カートリッジ装填の操作性が良好となるとともに、従来のカンガルータイプの蓋部開閉機構を用いた機器と同等の小型のセットサイズを実現することができる。
【００３７】
次に、カートリッジ７の取り出し時の作用について説明する。装置本体２にカートリッジ７が装填されている状態では、図２（ａ）および図４（ａ）に示すような閉蓋状態にあり、蓋体１が矢印Ｆ１方向の付勢力により装置本体２と密着した状態である。
【００３８】
この状態では、図４（ａ）に示すように、開蓋操作手段６の腕部６ａは蓋体１に設けられたホルダー８に対して寸法「ｄ８」だけ隙間があり、触れていない状態である。この状態から、図６に示すように、開蓋操作手段６を回転操作すると、腕部６ａはホルダー８の底面部を押し上げ、このホルダー８とともに蓋体１を矢印Ｆ１方向への付勢力に抗して開蓋方向の付勢力（矢印−Ｆ１）で押し上げて回動させる。
【００３９】
そして、カートリッジ７の後端面７ａの下端縁が扉部４の上端を越えると、図１（ｂ）に示すように、蓋体１の内部に設けられたカートリッジ押し出しバネ５の矢印Ｆ５方向への排出力が作用することで、カートリッジ７が蓋体１より矢印ロ方向（図６参照）に排出され、カートリッジ７の後端部７ａが機器より露出する。この状態から使用者はカートリッジ７を取り出すことができる。
【００４０】
この時、開蓋操作手段６の腕部６ａがホルダー８および蓋体１を持ち上げる角度ｄ１は、前述したカートリッジ７の挿入時にカートリッジ７の押し込みにより蓋体１が開蓋する時の装置本体２に対する開き角度ｄ０よりも大きくなる。これは、カートリッジ７の挿入時には必要最小限の開き角度でありながら、取り出し時には扉４への障害を充分回避する状態に開くことができて使い勝手の良い装置とするためのものである。
【００４１】
また、蓋体１が大きい角度ｄ１で開かれることにより、リンク９の他端部９ａＬも、ホルダー８の長孔８ａにおける最も奥側の位置まで移動し、これに伴って、スライダー１１とともに補助蓋部１０が、最も奥側まで後退し、この結果、カートリッジ７の後端部（手前側部分）が補助蓋部１０の後端部（手前側部分）よりも、より大きく露出することとなり、カートリッジ７を一層容易に取り出すことができ、良好な操作性を得られる。
【００４２】
なお、上記実施の形態では、蓋体１の開き角度を規制するリンク９を、蓋体１の開動作に連動して補助蓋部１０を移動させる連動手段としても兼用したので、前記連動手段として、リンク９とスライダー１１との簡単な構成で済ますことができる利点がある。しかし、これに限るものではなく、蓋体１の開動作に連動して補助蓋部１０を移動させる機構であれば連動手段として用いることができる。
【００４３】
また、上記実施の形態では、カートリッジ７が挿入された際に、挿入用開口部１Ａを閉じるための扉４により、カートリッジ７を押し上げて蓋体１を開蓋方向に案内するように構成し、これにより、極めて簡単な構成で、カートリッジ７の挿入動作により蓋体１の開蓋方向への回動動作を伴わせるように構成することができ、このような、カートリッジ７の挿入動作を蓋体１の開蓋方向への回動動作に伴わせる部品を、扉４とは別個に設けた場合と比較して、部品点数を減少させることができて、製造コストを低減できる利点がある。しかし、これに限るものではなく、扉４とは別個に設けた機構により、カートリッジ７の挿入動作を、蓋体１の開蓋方向への回動動作に伴わせるように構成してもよい。
【００４４】
また、上記実施の形態では、蓋体１の内部に設けられて開蓋時にカートリッジ７を押し出す押し出し手段としてのカートリッジ押し出しバネ５を設けたので、蓋体１の開放時にカートリッジ７が大きく押し出されて、カートリッジ７の取り出し動作を極めて容易に行うことができて、便利である。しかし、これに限るものではなく、本発明では、蓋体１の開放時には、補助蓋部１０が後退するので、カートリッジ押し出しバネ５を設けない場合でも、この際に露出したカートリッジ７の後端部７ａをつまんで取り出すことが可能である。
【産業上の利用可能性】
【００４５】
本発明は、記録媒体を内蔵したカートリッジをホルダーに保持、装填する記録再生装置に特に適しているが、カートリッジ状のものを蓋体の内部に収納する各種のカートリッジ装着機構にも適用可能である。
【図面の簡単な説明】
【００４６】
【図１】本発明の一実施の形態に係る記録再生装置の外観斜視図であり、（ａ）はカートリッジを挿入する直前の閉蓋状態を示す図、（ｂ）はカートリッジ挿入の途中の状態を示す図、（ｃ）はカートリッジ挿入時の閉蓋状態直前を示す図
【図２】同記録再生装置の外観斜視図であり、（ａ）は閉蓋状態を示す図、（ｂ）はカートリッジ取り出し時の状態を示す図
【図３】同記録再生装置の外観斜視図であり、（ａ）は閉蓋状態を示す図、（ｂ）はカートリッジ挿入の閉蓋状態直前を示す図
【図４】同記録再生装置の一部分を破断した断面で示す側面図であり、（ａ）は閉蓋状態でのカートリッジ挿入の直前の状態を示す図、（ｂ）はカートリッジ挿入の途中の状態を示す図
【図５】同記録再生装置の一部分を破断した断面で示す平面図であり、（ａ）は閉蓋状態でのカートリッジ挿入の直前の状態を示す図、（ｂ）はカートリッジ挿入の途中の状態を示す図
【図６】同記録再生装置のカートリッジ取り出し時の一部分を破断した断面で示す図
【図７】従来の記録再生装置のスロットインタイプの蓋体開閉機構の外観斜視図であり、（ａ）はカートリッジを挿入する直前の閉蓋状態を示す図、（ｂ）はカートリッジを挿入する途中の状態を示す図、（ｃ）はカートリッジが蓋体端面まで挿入された状態を示す図、（ｄ）は図７（ｃ）の部分拡大図
【符号の説明】
【００４７】
１      蓋体
１Ａ    挿入用開口部
１ａ（Ｌ）  蓋体の支点
１ｂ    蓋部スライダー保持部材
２      装置本体
２ａ    回動支点
２ｃＬ  第１の本体バネ（蓋体付勢手段）
３      駆動用ターンテーブル
４      Ａ扉
４ａ    支点軸部
４ｂ    扉部バネ
４ｆ    ガイド面
５      カートリッジ押し出しバネ（押し出し手段）
６      開蓋操作手段
７      カートリッジ
８      ホルダー
８ａ    長孔
９      リンク
９ａ（Ｌ）  リンクの他端部
１０    補助蓋部
１１    スライダー（連動手段）
１２    成形バネ（補助蓋部付勢手段）
【図１】
2006252589.tif 000003
【図２】
2006252589.tif 000004
【図３】
2006252589.tif 000005
【図４】
2006252589.tif 000006
【図５】
2006252589.tif 000007
【図６】
2006252589.tif 000008
【図７】
2006252589.tif 000009